(57)【要約】【課題】伸縮脚を強固に支持しつつ、体裁を向上させることのできる天板昇降式什器を提供する。【解決手段】床面Ｆ上に左右方向で互いに離間して配置された一対の下部横幕板１２と、一対の下部横幕板１２にそれぞれ支持されるとともに、上下方向に伸縮可能とされた一対の伸縮脚３１と、一対の伸縮脚３１に支持された天板２１と、を備え、下部横幕板１２は、床面Ｆに沿って延びるフレーム本体１６ａを有し、伸縮脚３１の下端部が固定されたフレーム１６と、伸縮脚３１及びフレーム１６の周囲の少なくとも一部を覆うとともに、フレーム本体１６ａが固定されたカバー部材１９と、を備える。【選択図】図４
2019136201.tif 000002
【特許請求の範囲】
【請求項１】
床面上に左右方向で互いに離間して配置された一対の支持脚部と、
一対の前記支持脚部にそれぞれ支持されるとともに、上下方向に伸縮可能とされた一対の伸縮脚と、
一対の前記伸縮脚に支持された天板と、
を備え、
前記支持脚部は、
前記床面に沿って延びる延出部を有し、前記伸縮脚の下端部が固定された脚固定部材と、
前記伸縮脚及び前記脚固定部材の周囲の少なくとも一部を覆うとともに、前記延出部が固定されたカバー部材と、を備える天板昇降式什器。
【請求項２】
前記延出部は、
前記伸縮脚の前記下端部から第一の方向に延びる第一の延出部と、
前記伸縮脚の前記下端部から前記第一の方向とは異なる向きの第二の方向に延びる第二の延出部と、を有している請求項１に記載の天板昇降式什器。
【請求項３】
前記第一の方向と前記第二の方向が反対向きである請求項２に記載の天板昇降式什器。
【請求項４】
前記カバー部材は、前記床面に対して上方に間隔をあけて設けられた底板を有し、
前記脚固定部材は、前記底板の下面に固定されている請求項１から請求項３の何れか一項に記載の天板昇降式什器。
【請求項５】
前記カバー部材は、前記床面に対して直交する側面部を有し、
前記脚固定部材は、前記側面部に固定されている請求項１から請求項４の何れか一項に記載の天板昇降式什器。
【請求項６】
前記延出部は、前記カバー部材に複数本のボルトを介して固定されている請求項１から請求項５の何れか一項に記載の天板昇降式什器。
【請求項７】
前記脚固定部材は、前記床面との間に上下方向に間隔をあけて配置されている請求項１から請求項６の何れか一項に記載の天板昇降式什器。
【請求項８】
前記支持脚部は、前記床面に接地する接地部材を備え、
前記接地部材は、前記延出部の延出方向において、前記延出部よりも外側に配置されている請求項１から請求項７の何れか一項に記載の天板昇降式什器。
【請求項９】
前記カバー部材は、木系材料により形成されている請求項１から請求項８の何れか一項に記載の天板昇降式什器。
【請求項１０】
前記カバー部材は、
前記伸縮脚及び前記脚固定部材の少なくとも一部を、前記左右方向の一方の側から覆う第一カバー板と、
前記伸縮脚及び前記脚固定部材の少なくとも一部を、前記左右方向の他方の側から覆う第二カバー板と、を備える請求項１から請求項９の何れか一項に記載の天板昇降式什器。
【発明の詳細な説明】
【技術分野】
【０００１】
本発明は、天板昇降式什器に関する。
【背景技術】
【０００２】
各種施設（例えば、オフィスや公共施設、医療施設、介護施設等）には、天板を備えた天板付什器（例えば、デスク装置、テーブル装置、カウンター装置等）が設置されている。この種の天板付什器には、使用者の身長や好み、使用用途等に応じ、天板の高さを上下に変更可能とする昇降機能を、天板を支持する支持脚部に備えたもの（以下、天板昇降式什器という。）がある。
【０００３】
上述した支持脚部として、例えば特許文献１，２には、天板を支持する伸縮脚と、床面に沿って延び、伸縮脚を支持する下部支持体と、を備えた構成が開示されている。特許文献１，２の構成では、下部支持体を金属製とすることで、伸縮脚及び伸縮脚上に設けられた天板を下部支持体によって強固に支持している。
【先行技術文献】
【特許文献】
【０００４】
【特許文献１】特開２０１６−８６８８３号公報
【特許文献２】特開２０１６−８７０３０号公報
【発明の概要】
【発明が解決しようとする課題】
【０００５】
ところで、特許文献１，２に開示された構成においては、下部支持体が金属製であるため、無機質な体裁になってしまう。このため、例えば役員室や応接室等、温かみや上質感が求められる室内に、天板昇降式什器を設置すると、雰囲気に合わない場合がある。
一方、室内の雰囲気に合わせるため、下部支持体を木系材料や樹脂系材料で形成すると、伸縮脚を強固に支持するだけの強度を下部支持体に持たせることが困難となる。
【０００６】
本発明は、伸縮脚を強固に支持しつつ、体裁を向上させることのできる天板昇降式什器を提供することを目的とする。
【課題を解決するための手段】
【０００７】
上記目的を達成するために、本発明の一態様に係る天板昇降式什器は、床面上に左右方向で互いに離間して配置された一対の支持脚部と、一対の前記支持脚部にそれぞれ支持されるとともに、上下方向に伸縮可能とされた一対の伸縮脚と、一対の前記伸縮脚に支持された天板と、を備え、前記支持脚部は、前記床面に沿って延びる延出部を有し、前記伸縮脚の下端部が固定された脚固定部材と、前記伸縮脚及び前記脚固定部材の周囲の少なくとも一部を覆うとともに、前記延出部が固定されたカバー部材と、を備える。
【０００８】
この構成によれば、脚固定部材が床面に沿って延びるとともに、カバー部材に固定された延出部を有しているので、伸縮脚の安定性が増す。また、伸縮脚及び脚固定部材の周囲の少なくとも一部がカバー部材によって覆われることで、伸縮脚及び脚固定部材が外部に露呈するのを抑え、天板昇降式什器の体裁を向上させることができる。
【０００９】
本発明の一態様に係る天板昇降式什器において、前記延出部は、前記伸縮脚の前記下端部から第一の方向に延びる第一の延出部と、前記伸縮脚の前記下端部から前記第一の方向とは異なる向きの第二の方向に延びる第二の延出部と、を有していてもよい。
この構成によれば、伸縮脚に対して第一の方向及び第二の方向で脚固定部材をカバー部材に固定することができるので、伸縮脚の安定性がさらに増す。
【００１０】
本発明の一態様に係る天板昇降式什器において、前記第一の方向と前記第二の方向が反対向きであってもよい。
この構成によれば、第一の延出部と第二の延出部とが直線状に延在するので、伸縮脚の安定性を増した上で、天板昇降式什器の体裁を向上させることができる。
【００１１】
本発明の一態様に係る天板昇降式什器において、前記カバー部材は、前記床面に対して上方に間隔をあけて設けられた底板を有し、前記脚固定部材は、前記底板の下面に固定されていてもよい。
この構成によれば、脚固定部材をカバー部材に上下方向で固定することができる。
【００１２】
本発明の一態様に係る天板昇降式什器において、前記カバー部材は、前記床面に対して直交する側面部を有し、前記脚固定部材は、前記側面部に固定されていてもよい。
この構成によれば、脚固定部材をカバー部材に左右方向で固定することができる。
【００１３】
本発明の一態様に係る天板昇降式什器において、前記延出部は、前記カバー部材に複数本のボルトを介して固定されていてもよい。
この構成によれば、脚固定部材とカバー部材との間に作用する荷重に対して個々のボルトで負担する力を低く抑えることができる。これにより、脚固定部材をカバー部材に強固に固定することができる。
【００１４】
本発明の一態様に係る天板昇降式什器において、前記脚固定部材は、前記床面との間に上下方向に間隔をあけて配置されていてもよい。
この構成によれば、カバー部材に固定された脚固定部材を、床面に接地させることなく設けることができる。
【００１５】
本発明の一態様に係る天板昇降式什器において、前記支持脚部は、前記床面に接地する接地部材を備え、前記接地部材は、前記延出部の延出方向において、前記延出部よりも外側に配置されていてもよい。
この構成によれば、天板昇降式什器の前後両端で接地部材を床面に接地させることができるので、天板昇降式什器の安定性がより一層高まる。
【００１６】
本発明の一態様に係る天板昇降式什器において、前記カバー部材は、木系材料により形成されていてもよい。
この構成によれば、天板昇降式什器の体裁を向上させ、使用者に対して温かみや上質感を与えることができる。
【００１７】
本発明の一態様に係る天板昇降式什器において、前記カバー部材は、前記伸縮脚及び前記脚固定部材の少なくとも一部を、前記左右方向の一方の側から覆う第一カバー板と、前記伸縮脚及び前記脚固定部材の少なくとも一部を、前記左右方向の他方の側から覆う第二カバー板と、を備えていてもよい。
この構成によれば、伸縮脚及び脚固定部材に対して左右方向の両側において、伸縮脚及び脚固定部材の少なくとも一部が外部に露呈するのを抑えることができる。これにより、天板昇降式什器の体裁を向上させることができる。
【発明の効果】
【００１８】
本発明の一態様によれば、伸縮脚を強固に支持しつつ、体裁を向上させることができる。
【図面の簡単な説明】
【００１９】
【図１】本発明の実施形態に係る天板昇降式什器の全体構成を示す斜視図である。
【図２】上記天板昇降式什器を、図１とは異なる方向から見た斜視図である。
【図３】天板を取り外した状態における上記天板昇降式什器の平面図である。
【図４】上記天板昇降式什器の側断面図である。
【図５】上記天板昇降式什器の下部横幕板を構成するカバー部材の部品構成を示す斜視展開図である。
【図６】上記下部横幕板を構成するフレームを示す斜視図である。
【図７】天板や下部横幕板等を取り外した状態を示す天板昇降式什器の斜視断面図である。
【図８】天板を上昇端位置まで上昇させたときの上記天板昇降式什器の側断面図である。
【発明を実施するための形態】
【００２０】
以下、添付図面を参照して、本発明に係る天板昇降式什器の実施形態を説明する。しかし、本発明は以下の実施形態のみに限定されるものではない。
図１は、本実施形態に係る天板昇降式什器１の全体構成を示す斜視図である。図２は、天板昇降式什器１を、図１とは異なる方向から見た斜視図である。図３は、天板２１を取り外した状態における天板昇降式什器１の平面図である。
【００２１】
図１〜図３に示すように、天板昇降式什器１は、床面Ｆ上に設置される下部構造体１０と、天板２１を備える上部構造体２０と、上部構造体２０を下部構造体１０に対して上下方向に昇降させる昇降機構３０（図３参照）と、を備える。
本実施形態において、天板２１は、平面視長方形状をなしている。以下の説明において、平面視長方形状の天板２１の長手方向を「左右方向」、天板２１の短手方向を「前後方向」と称することがある。さらに、天板２１の前後方向において、天板２１に対してメインの使用者が位置する側を「前側」、天板２１の前側とは反対側を「後側」とする。
【００２２】
下部構造体１０は、下部後幕板１１と、床面Ｆ上に互いに左右方向で離間して配置された一対の下部横幕板（支持脚部）１２と、を備える。
【００２３】
下部後幕板１１は、天板２１の後端部２１ｒの下方に配置されている。なお、後端部２１ｒとは、天板２１のうち前後方向の中心に対して後側に位置する部分をいう。
【００２４】
下部後幕板１１は、左右方向に沿って配置されている。下部後幕板１１は、一対の下部横幕板１２間を架け渡して、下部横幕板１２同士の間で天板２１の下方空間を前後方向で仕切っている。本実施形態において、下部後幕板１１は、天板２１の後端面２１ｅに対し、前側に所定寸法オフセットした位置に配置されている。但し、下部後幕板１１は、前後方向の位置が天板２１の後端面２１ｅと面一に配置されていてもよい。
【００２５】
下部横幕板１２は、天板２１の後端部２１ｒにおける左右方向の両側でそれぞれ隣り合う側端部２１ｓの下方に配置されている。各下部横幕板１２は、左右方向に直交する面内に沿って配置されている。すなわち、各下部横幕板１２は、天板２１の側端部２１ｓに沿って天板２１の短手方向に延びている。
【００２６】
図４は、天板昇降式什器１の側断面図である。図５は、下部横幕板１２を構成するカバー部材１９の部品構成を示す斜視展開図である。
図３、図４に示すように、下部横幕板１２は、カバー部材１９と、フレーム（脚固定部材）１６と、を備えている。
図３〜図５に示すように、カバー部材１９は、外側面部（側面部、第一カバー板）１４と、内側面部（第二カバー板）１５と、外側面部１４と内側面部１５との間に設けられた中間部材１７（図４、図５参照）と、を備えている。
【００２７】
外側面部１４は、内側面部１５に対して左右方向の外側に配置されている。外側面部１４は、上下方向に立設されて前後方向に延びる平板状である。
【００２８】
内側面部１５は、外側面部１４に対して左右方向の内側に配置されている。外側面部１４と内側面部１５とは、左右方向に所定の間隔をあけて配置されている。内側面部１５は、平板状の平面部１５ｆと、平面部１５ｆの前側に連続して設けられた湾曲部１５ｗと、を有している。
平面部１５ｆの後端１５ｒは、外側面部１４の後端１４ｒよりも前側に配置されている。
湾曲部１５ｗは、後側から前側に向かって左右方向の外側に延在している。なお、内側面部１５は、湾曲部１５ｗを有さない構成であってもよい。
【００２９】
図５に示すように、中間部材１７は、下部横幕板１２の前部に設けられている。中間部材１７は、下部横幕板１２の前端部において、外側面部１４と内側面部１５との間を塞いでいる。具体的に、中間部材１７は、側面視矩形状に組まれた枠材１７Ａと、枠材１７Ａの前側に設けられた芯材１７Ｂと、を備えている。
【００３０】
枠材１７Ａは、一対の縦板１７ｆ，１７ｒと、上板１７ｕと、底板１７ｂと、を備えている。一対の縦板１７ｆ，１７ｒは、それぞれ上下方向に延び、前後方向に間隔をあけて設けられている。上板１７ｕは、一対の縦板１７ｆ，１７ｒの上端部同士を連結する。
【００３１】
底板１７ｂは、縦板１７ｆ，１７ｒの下端部同士を連結する。底板１７ｂは、外側面部１４及び内側面部１５の下端１４ｂ，１５ｂよりも上方に設けられている。すなわち、底板１７ｂは、床面Ｆに対して上方に離間して設けられている。
【００３２】
芯材１７Ｂは、上下方向に間隔をあけて設けられた複数枚の芯板１７ｗと、前側の縦板１７ｆに沿って設けられ、互いに上下に隣り合う芯板１７ｗ同士を連結する連結板１７ｖと、を備えている。各芯板１７ｗの外周面１７ｇは、内側面部１５の湾曲部１５ｗの内周面の形状に沿って湾曲している。
【００３３】
中間部材１７には、左右方向の外側（一方の側）から外側面部１４が接合されている。中間部材１７には、左右方向の内側（他方の側）から内側面部１５が接合されている。このように、中間部材１７を外側面部１４と内側面部１５との間に設けることで、図１〜図３に示すように、下部横幕板１２の前端部には、前部箱状部１３が形成されている。前部箱状部１３は、天板２１の前端部２１ｆの下方に位置している。なお、前端部２１ｆとは、天板２１のうち前後方向の中心に対して前側に位置する部分をいう。前部箱状部１３の前端部には、湾曲部１５ｗにより、後側から前側に向かって、左右方向の厚さが漸次小さくなる湾曲面１３ｓが形成されている。
【００３４】
このようなカバー部材１９は、例えば木系材料や樹脂系材料等によって形成することができる。本実施形態において、カバー部材１９は、木系材料により形成されている。
【００３５】
カバー部材１９において、外側面部１４は、下部後幕板１１の左右方向の端部に接合されている。外側面部１４の後端１４ｒは、下部後幕板１１よりも後側に突出している。外側面部１４の後端１４ｒは、天板２１の後端面２１ｅよりも前側に位置している。但し、外側面部１４の後端面は、天板２１の後端面２１ｅと面一に配置されていてもよい。内側面部１５の後端１５ｒは、下部後幕板１１に対して前後方向に間隔をあけて配置されている。
【００３６】
図６は、下部横幕板１２を構成するフレーム１６を示す斜視図である。
フレーム１６は、カバー部材１９よりも強度の高い材料（例えば金属製）により形成されている。フレーム１６は、カバー部材１９に支持されている。図６に示すように、フレーム１６は、前後方向に延びるフレーム本体（延出部）１６ａと、フレーム本体１６ａの前後方向の中間部に設けられ、伸縮脚３１の下端部が接続されるブラケット１６ｊと、を備える。フレーム本体１６ａは、断面視下向コ字状に形成されている。具体的に、フレーム本体１６ａは、床面Ｆに沿って配置される板状部１６ｂと、板状部１６ｂの左右方向両側からそれぞれ下方に延出する垂下部１６ｃと、を一体に有している。
ブラケット１６ｊは、フレーム本体１６ａから上方に向かって突出している。
【００３７】
フレーム１６は、フレーム本体１６ａとブラケット１６ｊとにより、逆Ｔ字状をなしている。フレーム本体１６ａにおいて、ブラケット１６ｊよりも前側の部分は、ブラケット１６ｊ（伸縮脚３１の下端部）から床面Ｆに沿って前側（第一の方向）に延びる第一の延出部１６ｆを形成する。また、フレーム本体１６ａにおいて、ブラケット１６ｊよりも後側の部分は、ブラケット１６ｊ（伸縮脚３１の下端部）から床面Ｆに沿って後側（第二の方向）に延びる第二の延出部１６ｒを形成する。第一の延出部１６ｆには、板状部１６ｂを上下方向に貫通するボルト挿通孔１６ｈが複数形成されている。第二の延出部１６ｒの後端部には、一方の垂下部１６ｃ（左右方向の外側に位置する垂下部１６ｃ）を左右方向に貫通するボルト挿通孔１６ｇが複数形成されている。
【００３８】
図４に示すように、第一の延出部１６ｆは、中間部材１７の底板１７ｂの下面に沿わせた状態で、ボルト挿通孔１６ｈに挿通させたボルト（図示無し）によって底板１７ｂに締結される。また、第二の延出部１６ｒは、一方の垂下部１６ｃを外側面部１４の内面に沿わせた状態で、ボルト挿通孔１６ｇに挿通させたボルト（図示無し）によって外側面部１４に締結される。なお、外側面部１４に締結されるボルトは、他方の垂下部１６ｃ（左右方向の内側に位置する垂下部１６ｃ）に形成された工具挿通孔１６ｋを通じて締め付けられる。但し、フレーム１６は、工具挿通孔１６ｋを有さない構成であってもよい。
【００３９】
このようにして、フレーム１６は、カバー部材１９に強固に固定される。この状態で、フレーム１６は、床面Ｆとの間に上下方向に間隔をあけて配置されている。また、フレーム１６は、外側面部１４によって全体が左右方向の外側から覆われている。フレーム１６は、内側面部１５によって少なくとも前側の一部が左右方向の内側から覆われている。なお、フレーム１６は、周囲の少なくとも一部がカバー部材１９によって覆われていればよい。但し、フレーム１６に対して左右方向の外側が覆われていることが、天板昇降式什器１の体裁を向上させる上では好ましい。
【００４０】
下部横幕板１２は、外側面部１４の下面に設けられた接地部材１８を介し、床面Ｆ上に設置されている。接地部材１８は、第一の延出部１６ｆ及び第二の延出部１６ｒの延出方向の先端部１６ｓ，１６ｔに対し、伸縮脚３１とは反対側に離間した位置（フレーム本体１６ａに対して前後両側）に一対で配置されている。なお、各接地部材１８の位置は、適宜変更が可能である。但し、各接地部材１８間の間隔を広くするほど、接地部材１８を介して天板昇降式什器１を設置した際の安定性を向上させることができる。
【００４１】
上部構造体２０は、上述した天板２１と、上部後幕板２２と、上部横幕板２３と、を備える。
【００４２】
上部後幕板２２は、天板２１の後端部２１ｒの下面から下方に向かって垂下して設けられている。上部後幕板２２は、天板２１の下方空間を後述する一対の伸縮脚３１同士の間で前後方向に仕切っている。上部後幕板２２は、下部後幕板１１と平行に配置されるとともに、下部後幕板１１に対して前側に配置されている。下部後幕板１１と上部後幕板２２とは、前後方向に間隔を空けて配置されている。
【００４３】
図１に示すように、上部横幕板２３は、天板２１の側端部２１ｓの下面から下方に向かって延在している。
【００４４】
図７は、天板２１や下部横幕板１２等を取り外した状態を示す天板昇降式什器１の斜視断面図である。
図７に示すように、上部横幕板２３は、天板２１の下方空間を伸縮脚３１と上部後幕板２２との間で左右方向に仕切っている。上部横幕板２３は、板状部２４と、伸縮脚収容部２５と、を一体に有する。
板状部２４は、伸縮脚３１と上部後幕板２２との間で、左右方向に直交する面内に沿って配置されている。板状部２４の後端部２４ｒは、上部後幕板２２の左右方向の端部に連結されている。
【００４５】
伸縮脚収容部２５は、上下方向に延びる角筒状をなしている。図３に示すように、伸縮脚収容部２５は、天板２１の側端部２１ｓの前後方向の中間部に位置している。伸縮脚収容部２５は、平面視したときに、下部横幕板１２の前部箱状部１３の後方において、外側面部１４と内側面部１５との間に配置されている。
【００４６】
図８は、天板２１を上昇端位置Ｐ１まで上昇させたときの天板昇降式什器１の側断面図である。
図８に示すように、伸縮脚収容部２５は、天板２１を上昇端位置Ｐ１（図６参照）まで上昇させたときにも、その下端部２５ｂが、下部横幕板１２の上面よりも下側に位置するよう設けられている。
【００４７】
昇降機構３０は、伸縮脚３１と、コントローラ３５と、を備える。
伸縮脚３１は、天板２１の左右方向の両端部にそれぞれ設けられている。伸縮脚３１は、天板２１の前後方向の中間部に配置されている。伸縮脚３１は、多段筒状（例えば、三段）に形成されている。本実施形態の伸縮脚３１は、上部脚体３２と、中間脚体３３と、下部脚体３４と、を備える。
【００４８】
上部脚体３２は、上下方向に延びる角筒状に形成されている。上部脚体３２は、上述した伸縮脚収容部２５内に収容されている。本実施形態において、上部脚体３２は、伸縮脚収容部２５内に嵌合されている。すなわち、上部脚体３２は、上部横幕板２３に周囲が覆われ、天板昇降式什器１の外部に露呈していない。上部脚体３２の上端部は、天板２１の下面に、ボルト（図示無し）等を介して接合されている。
【００４９】
中間脚体３３は、少なくとも上端部が上部脚体３２の下端開口部を通じて上部脚体３２の内側に収容されている。中間脚体３３は、上部脚体３２の下端開口部からから下方に向かって出没可能とされている。
下部脚体３４は、少なくとも上端部が中間脚体３３の下端開口部を通じて中間脚体３３の内側に収容されている。下部脚体３４の下端部は、下部横幕板１２の内側で上述したフレーム１６に、ブラケット１６ｊを介して支持されている。
【００５０】
伸縮脚３１の内部には、下部脚体３４に対して中間脚体３３及び上部脚体３２を上下方向に昇降させるモータ等の駆動機構が内蔵されている。
【００５１】
コントローラ３５は、例えば天板２１の前端部２１ｆの下面に設けられている。使用者がコントローラ３５を操作することによって、伸縮脚３１の駆動機構が制御され、伸縮脚３１が上下方向に伸縮する。ここで、伸縮脚３１が伸縮するときには、下部脚体３４及び中間脚体３３が上部脚体３２から下方に向かって出没する。
このようにして、伸縮脚３１は、床面Ｆ上に互いに離間して一対が配置され、天板２１は、一対の伸縮脚３１によって昇降可能に支持されている。
【００５２】
図１、図４に示すように、上述した天板昇降式什器１は、天板２１の下方において、後幕板１１，２２に対して前側に位置する部分に、下部後幕板１１と、一対の下部横幕板１２と、上部後幕板２２と、一対の上部横幕板２３と、に囲まれた下肢収容空間Ｓ１が形成されている。下肢収容空間Ｓ１は、使用者の下肢を収容可能に構成されている。
【００５３】
また、図２、図４に示すように、天板昇降式什器１は、天板２１の下方において、後幕板１１，２２に対して後側に位置する部分に、下部後幕板１１と、一対の下部横幕板１２（外側面部１４）の後端１４ｒとによって囲まれた後部収容空間Ｓ２が形成されている。後部収容空間Ｓ２には、天板２１の前側に位置するメインの使用者に対し、天板２１の後側にサブの使用者が対面して位置した場合に、サブ使用者の下肢の一部や、サブの使用者の所持物品等を収容することができる。
【００５４】
このように、本実施形態では、上述した後幕板１１，２２によって、天板２１の下方空間が下肢収容空間Ｓ１と後部収容空間Ｓ２とに区画されている。一方、横幕板１２，２３によって天板２１の下方空間（下肢収容空間Ｓ１及び後部収容空間Ｓ２）が左右方向に区画されている。
【００５５】
天板昇降式什器１は、伸縮脚３１を上下方向に昇降させることで、天板２１の高さが調整可能となっている。
ここで、上部後幕板２２及び上部横幕板２３は、下部後幕板１１及び下部横幕板１２に対し、内側（下肢収容空間Ｓ１側）に設けられている。このため、特に天板２１の下降端位置Ｐ２（図４参照）において、天板昇降式什器１を外側から見た場合、上部後幕板２２及び上部横幕板２３は、下部後幕板１１及び下部横幕板１２の裏側に隠れた状態となる。すなわち、伸縮脚３１は、少なくとも下降端位置Ｐ２において、下部横幕板１２によって全周が取り囲まれている。
一方、上部脚体３２の上昇に伴い、上部後幕板２２及び上部横幕板２３が上昇すると、上部後幕板２２及び上部横幕板２３が、下部後幕板１１及び下部横幕板１２の裏側から露出する。
【００５６】
図８に示すように、天板２１を上昇端位置Ｐ１に位置させた状態で、上部後幕板２２及び上部横幕板２３の下端２２ｂ，２３ｂは、下部後幕板１１及び下部横幕板１２の上端１１ｔ，１２ｔよりも下方に位置する。
【００５７】
天板昇降式什器１は、下部後幕板１１に対して前側に、配線収容部４０を備えている。配線収容部４０は、床面Ｆと平行に配置された底板部４１と、底板部４１の前端部から上方に立ち上がる立ち上がり壁４２と、を有している。
図４に示すように、立ち上がり壁４２は、下部後幕板１１及び上部後幕板２２に対し、前側に配置されている。立ち上がり壁４２は、天板２１が下降端位置Ｐ２まで下降した状態で、上部後幕板２２の下端よりも高い位置まで延びている。また、配線収容部４０に対して前側に、配線収容部４０を前側から覆う幕板を別途設けてもよい。
【００５８】
天板昇降式什器１は、上部後幕板２２に対して前側に、配線ガイド５０を備えている。配線ガイド５０は、その上端部が、上部後幕板２２の前面に設けられたブラケット５１に吊り下げられている。配線ガイド５０は、可撓性を有し、天板２１上で使用する機器に接続される各種の配線や、コントローラ３５に接続される配線等が挿通される。配線ガイド５０の下端部は、配線収容部４０内に位置し、配線ガイド５０内に挿通された各種の配線は、配線収容部４０内に収容される。
【００５９】
このように、本実施形態では、下部横幕板１２が、床面Ｆに沿って延びるフレーム本体１６ａを有し、伸縮脚３１の下端部が固定されたフレーム１６と、フレーム１６の周囲の少なくとも一部を覆うとともに、フレーム１６が固定されたカバー部材１９と、を備える構成とした。
このような構成によれば、フレーム１６がフレーム本体１６ａを有しているので、フレーム１６によって伸縮脚３１を支持する際に伸縮脚３１の安定性が増す。また、伸縮脚３１及びフレーム１６の周囲がカバー部材１９によって覆われることで、伸縮脚３１及びフレーム１６が外部に露呈するのを抑え、天板昇降式什器１の体裁を向上させることができる。したがって、伸縮脚３１を強固に支持しつつ、体裁を向上させることができる。
【００６０】
本実施形態では、フレーム本体１６ａが伸縮脚３１の下端部から互いに異なる方向に延びる複数の延出部１６ｆ，１６ｒを備える構成とした。
このように構成することで、伸縮脚３１の安定性がさらに増す。
【００６１】
本実施形態では、伸縮脚３１の下端部から前側に延びる第一の延出部１６ｆと、伸縮脚３１の下端部から後側に延びる第二の延出部１６ｒと、を有している構成とした。
このように構成することで、伸縮脚３１の前後両側でフレーム本体１６ａをカバー部材１９に固定することができるので、伸縮脚３１の安定性がさらに増す。第一の延出部１６ｆと第二の延出部１６ｒとが直線状に延在するので、天板昇降式什器１の体裁を向上させることができる。
【００６２】
本実施形態では、フレーム１６がカバー部材１９における底板１７ｂの下面に固定されている構成とした。
このように構成することで、フレーム１６をカバー部材１９に上下方向で連結することができる。
【００６３】
本実施形態では、フレーム１６がカバー部材１９の外側面部１４に固定されている構成とした。
このように構成することで、フレーム１６をカバー部材１９に左右方向で連結することができる。
【００６４】
本実施形態では、フレーム本体１６ａは、カバー部材１９に複数本のボルトを介して固定されている構成とした。
このように構成することで、フレーム１６とカバー部材１９との間に作用する荷重に対して個々のボルトで負担する力を低く抑えることができる。これにより、フレーム１６をカバー部材１９に強固に固定することができる。
【００６５】
本実施形態では、フレーム１６は、床面Ｆとの間に上下方向に間隔をあけて配置されている構成とした。
このように構成することで、カバー部材１９に固定されたフレーム１６を、床面Ｆに接地させることなく設けることができる。
【００６６】
本実施形態では、接地部材１８がフレーム本体１６ａに対して前後方向の外側に配置されている構成とした。
このように構成することで、天板昇降式什器１の前後両端で接地部材１８を床面Ｆに接地させることができるので、天板昇降式什器１の安定性がより一層高まる。
【００６７】
本実施形態では、カバー部材１９が木系材料によって形成されている構成とした。
このように構成することで、天板昇降式什器１の体裁を向上させ、使用者に対して温かみや上質感を与えることができる。
【００６８】
本実施形態では、カバー部材１９は、伸縮脚３１及びフレーム１６の少なくとも一部を左右方向の外側から覆う外側面部１４と、伸縮脚３１及びフレーム１６の少なくとも一部を左右方向の内側から覆う内側面部１５と、を備える構成とした。
このように構成することで、伸縮脚３１及びフレーム１６に対して左右方向の両側において、伸縮脚３１及びフレーム１６の少なくとも一部が外部に露呈するのを抑えることができる。これにより、天板昇降式什器１の体裁を向上させることができる。
【００６９】
（その他の実施形態）
以上、本発明の好ましい実施例を説明したが、本発明はこれら実施例に限定されることはない。本発明の趣旨を逸脱しない範囲で、構成の付加、省略、置換、及びその他の変更が可能である。本発明は上述した説明によって限定されることはなく、添付の特許請求の範囲によってのみ限定される。
例えば、上述した実施形態では、フレーム本体１６ａが、前側に延びる第一の延出部１６ｆと、後側に延びる第二の延出部１６ｒと、により直線状となっているが、例えば第一の延出部１６ｆ及び第二の延出部１６ｒが互いに直交する方向に延在していてもよい。
また、床面Ｆに沿った互いに異なる方向に延出する延出部を、３以上備えるようにしてもよい。
上述した実施形態では、下部横幕板１２が外側面部１４、内側面部１５及び中間部材１７を備える構成としたが、これに限らず、いかなる構成としてもよい。
上述した実施形態では、上部後幕板２２、上部横幕板２３、及び下部後幕板１１を備えているが、これらの構成については何ら限定するものではなく、さらに、これらを省略した構成とすることも可能である。
上述した実施形態では、下部構造体１０が接地部材１８を介して床面Ｆに接地する構成について説明したが、この構成のみに限られない。例えば、下部構造体１０が下部後幕板１１や下部横幕板１２、フレーム１６を介して床面Ｆに接地する構成であってもよい。
【００７０】
上述した実施形態では、フレーム１６がカバー部材１９に上下方向及び左右方向で連結される構成について説明したが、この構成のみに限られない。フレーム１６は、カバー部材１９に上下方向及び左右方向の少なくとも一方向で連結されていればよい。
上述した実施形態では、天板昇降式什器１がサブの使用者の下肢等を収容する後部収容空間Ｓ２を有する構成について説明したが、この構成のみに限られない。
【００７１】
上述した実施形態では、上部後幕板２２及び上部横幕板２３が下部後幕板１１及び下部横幕板１２の内側に配置された構成について説明したが、これとは逆に下部後幕板１１及び下部横幕板１２の外側に上部後幕板２２及び上部横幕板２３が配置されていてもよい。
上述した実施形態では、天板２１に設けられた上部脚体３２内に、下部脚体３４が収容された構成について説明したが、これに限らない。下部脚体の内側に上部脚体が収容された構成であってもよい。このような構成とする場合であっても、伸縮脚３１を伸縮脚収容部２５に収容すれば、伸縮脚３１が外部に露呈するのを抑えることができる。
【００７２】
その他、本発明の趣旨を逸脱しない範囲で、上述した実施形態における構成要素を周知の構成要素に置き換えることは適宜可能であり、また、上述した各変形例を適宜組み合わせてもよい。
【符号の説明】
【００７３】
１  天板昇降式什器
１２  下部横幕板（支持脚部）
１４  外側面部（側面部、第一カバー板）
１５  内側面部（第二カバー板）
１６  フレーム（脚固定部材）
１６ａ  フレーム本体（延出部）
１６ｆ  第一の延出部
１６ｒ  第二の延出部
１７ｂ  底板
１８  接地部材
１９  カバー部材
２１  天板
３１  伸縮脚
Ｆ  床面
【図１】
2019136201.tif 000003
【図２】
2019136201.tif 000004
【図３】
2019136201.tif 000005
【図４】
2019136201.tif 000006
【図５】
2019136201.tif 000007
【図６】
2019136201.tif 000008
【図７】
2019136201.tif 000009
【図８】
2019136201.tif 000010